(57)【要約】外側フレームを有するモジュール式のゴルフバッグを提供する。ポールは、ゴルフクラブを受け入れ可能なフレーム頂部をフレーム底部に連結する。柔軟性のあるバッグ本体はフレーム頂部とフレーム底部の間で延び、これによりフレーム頂部からゴルフクラブを受け入れ可能な空所を形成する。ポールは、内側に位置決めされたポールスリーブ、柔軟性のあるバッグ本体における１つ又は複数のスリット、又はそれらの組み合わせを用いて柔軟性のあるバッグ本体に付着させることができる。収納コンパートメントもまた、ポールの間で取り外し可能に連結することができる。【選択図】図１２
2014531954.tif 000002
【特許請求の範囲】
【請求項１】
モジュール式のゴルフバッグであって、
ゴルフクラブを受け入れ可能なフレーム頂部と、
前記フレーム頂部からほぼゴルフクラブの長さ分下方に配置したフレーム底部と、
前記フレーム頂部と前記フレーム底部を連結する複数のポールと、
前記複数のポールの外側で前記フレーム頂部と前記フレーム底部との間に延びている柔軟性のあるバッグ本体であって、前記フレーム頂部からゴルフクラブを受け入れ可能な空所を形成する、該柔軟性のあるバッグ本体と、及び
前記柔軟性のあるバッグ本体の内側に取り付けられる複数のポールスリーブであって、各ポールスリーブが少なくとも前記複数のポールの１本の長さの少なくとも一部を包囲することによって前記複数のポールの各々が少なくとも１つのポールスリーブを貫通し、前記複数のポールスリーブは、前記柔軟性のあるバッグ本体を内側で前記複数のポールに固定することにより前記柔軟性のあるバッグ本体に構造の体を与える、該複数のポールスリーブと
を備えるモジュール式のゴルフバッグ。
【請求項２】
請求項１に記載のモジュール式のゴルフバッグであって、各ポールの複数の部分は、内側において前記柔軟性のあるバッグ本体の内部に露出している、モジュール式のゴルフバッグ。
【請求項３】
請求項１に記載のモジュール式のゴルフバッグであって、前記複数のポールの各々は、１つのポールスリーブを貫通し、各ポールスリーブの長さは前記対応するポールの長さの半分よりも長い、モジュール式のゴルフバッグ。
【請求項４】
請求項１に記載のモジュール式のゴルフバッグであって、前記複数のポールの各々がポールスリーブを貫通し、該ポールスリーブは、前記ポールスリーブの長さに沿って互いに離して配置した複数の開孔を有し、前記複数の開孔を通して前記ポールの一部が前記柔軟性のあるバッグの内部で露出しアクセス可能である、モジュール式のゴルフバッグ。
【請求項５】
請求項１に記載のモジュール式のゴルフバッグであって前記複数のポールは少なくとも４本のポールを有する、モジュール式のゴルフバッグ。
【請求項６】
請求項１に記載のモジュール式のゴルフバッグであって、さらに、取り外し可能に連結した少なくとも１つの付加的な収納コンパートメントを備える、モジュール式のゴルフバッグ。
【請求項７】
請求項６に記載のモジュール式のゴルフバッグであって、さらに、前記少なくとも１つの付加的な収納コンパートメントは、前記複数のポールのうちの少なくとも２本の間で、前記対応するポールの露出部分に連結する、モジュール式のゴルフバッグ。
【請求項８】
請求項６に記載のモジュール式のゴルフバッグであって、前記少なくとも１つの付加的な収納コンパートメントは、前記複数のポールのうち少なくとも２本間で、複数のストラップのうちの１つ又は圧嵌装着により連結する、モジュール式のゴルフバッグ。
【請求項９】
請求項６に記載のモジュール式のゴルフバッグであって、前記少なくとも１つの付加的な収納コンパートメントは、前記複数のポールのうち少なくとも２本を前記少なくとも１つの付加的な収納コンパートメントにおける２つの開口部に挿入することにより連結する、モジュール式のゴルフバッグ。
【請求項１０】
請求項６に記載のモジュール式のゴルフバッグであって、前記少なくとも１つの付加的な収納コンパートメントは、前記複数のポールのうち少なくとも２本の間における複数の位置で取り外し可能に連結可能である、モジュール式のゴルフバッグ。
【請求項１１】
モジュール式のゴルフバッグであって、
ゴルフクラブを受け入れ可能なフレーム頂部と、
前記フレーム頂部からほぼゴルフクラブの長さ分下方に配置したフレーム底部と、
前記フレーム頂部と前記フレーム底部を連結する少なくとも３本のポールと、
前記少なくとも３本のポールの外側で前記フレーム頂部と前記フレーム底部との間に延びている柔軟性のあるバッグ本体であって、前記フレーム頂部からゴルフクラブを受け入れ可能な空所を形成する、該柔軟性のあるバッグ本体と、
前記柔軟性のあるバッグ本体の内側に取り付けた複数のポールスリーブであって、前記ポールスリーブの各々は、前記少なくとも３本のポールのうち１本の長さの少なくとも一部を包囲し、これにより前記ポールの各々が少なくとも１つのポールスリーブを貫通し、前記複数のポールスリーブは前記柔軟性のあるバッグ本体を前記少なくとも３本のポールに内側で固定することにより前記柔軟性のあるバッグ本体に構造の体を与える、該複数のポールスリーブと、及び
前記少なくとも３本のポールのうち少なくとも２本の間で、前記柔軟性のあるバッグ本体内の１つ又は複数のスリットに対して取り外し可能に連結する少なくとも１つの付加的な収納コンパートメントと
を備えるモジュール式のゴルフバッグ。
【請求項１２】
請求項１１に記載のモジュール式のゴルフバッグであって、前記少なくとも３本のポールの各々が前記ポールの長さに沿って互いに離して配置した前記複数のポールスリーブのうち少なくとも２つを貫通し、それにより前記ポールの複数の部分が前記柔軟性のあるバッグ本体内で露出する、モジュール式のゴルフバッグ。
【請求項１３】
請求項１２に記載のモジュール式のゴルフバッグであって、前記少なくとも１つの付加的な収納コンパートメントを、前記少なくとも２本のポールの間で、前記１つ又は複数のスリットによって露出する前記対応するポールの一部に対して連結する、モジュール式のゴルフバッグ。
【請求項１４】
請求項１２に記載のモジュール式のゴルフバッグであって、前記少なくとも１つの付加的な収納コンパートメントが、前記少なくとも２本のポールの間で複数の位置において取り外し可能に連結可能である、モジュール式のゴルフバッグ。
【請求項１５】
請求項１１に記載のモジュール式のゴルフバッグであって、前記少なくとも３本のポールの各々がポールスリーブの長さに沿って互いに離して配置した複数の開口部を有する前記ポールスリーブを貫通し、前記ポールの一部は前記開口部を通じて内側で露出しアクセス可能である、モジュール式のゴルフバッグ。
【請求項１６】
請求項１５に記載のモジュール式のゴルフバッグであって、前記少なくとも１つの付加的な収納コンパートメントが、前記少なくとも２本のポールの間で、前記１つ又は複数のスリットによって露出する前記対応するポールの一部の部分において連結する、モジュール式のゴルフバッグ。
【請求項１７】
請求項１５に記載のモジュール式のゴルフバッグであって、複数の異なる付加的な収納コンパートメントを、前記少なくとも２本のポールの間の位置で取り外し可能に連結する、モジュール式のゴルフバッグ。
【請求項１８】
モジュール式のゴルフバッグであって、
ゴルフクラブを受け入れ可能なフレーム頂部と、
前記フレーム頂部からほぼゴルフクラブの長さ分下方に配置したフレーム底部と、
前記フレーム頂部と前記フレーム底部を連結する複数のポールと、
少なくとも４本のポールの部分の外側で前記フレーム頂部と前記フレーム底部との間に延びている柔軟性のあるバッグ本体であって、前記フレーム頂部からゴルフクラブを受け入れ可能な空所を形成する、該柔軟性のあるバッグ本体と、及び
前記柔軟性のあるバッグ本体内の複数のポールスリットであって、これにより前記ポールの各々が前記ポールスリットの少なくとも１つを貫通し、前記柔軟性のあるバッグ本体に構造の体を与える、該複数のポールスリットと
を備えるモジュール式のゴルフバッグ。
【請求項１９】
請求項１８に記載のモジュール式のゴルフバッグであって、前記ポールスリットの各々は、耐久性をもたらす補強された端縁を有する、モジュール式のゴルフバッグ。
【請求項２０】
請求項１８に記載のモジュール式のゴルフバッグであって、１つ又は複数のリングスリーブを有する付加的な収納コンパートメントを更に備え、該リングスリーブを通して前記ポールの少なくとも１本が覆われ、前記付加的な収納コンパートメントを前記柔軟性のあるバッグ本体に連結する、モジュール式のゴルフバッグ。
【発明の詳細な説明】
【技術分野】
【０００１】
本発明はゴルフバッグに関する。特に、本発明は、外側フレーム及び様々な形態の外側フレームに取り付け可能なモジュール式の収納コンパートメントを有する軽量のゴルフバッグに関する。
【背景技術】
【０００２】
試合を適切に行うために必要な数のクラブを運ぶことが難しいため、ゴルフバッグはこれまでの長い間ゴルフの試合に不可欠のものとされてきた。従来、ゴルフバッグは、ゴルフクラブを収納するメインのコンパートメント、及びゴルフボール、ティー、タオル他等の品物を収納する種々の付属用品用のコンパートメントを有するように設計される。
【発明の概要】
【発明が解決しようとする課題】
【０００３】
従来のゴルフバッグはまた、強固な材料で作られるため、いくらか重くなっている。重いバッグを運ぶことによりゴルファを疲労させ、ゴルファのパフォーマンスに悪影響を与える。更に、ゴルファが使用しない付属用品用のコンパートメントもバッグの一部であり、運ばなければならないため、すでに重いバッグに更に重さを付加している。ゴルファが異なるコンパートメントの選択を望んでも、製造者が選択したコンパートメントに制限される。
【課題を解決するための手段】
【０００４】
この概要は、後述する詳細な説明で更に詳述する、精選された構想を簡略化した形で紹介する為に提供する。この概要は、特許請求の範囲における主題の重要な特徴又は必須の特徴を明らかにしようとするものでなく、また特許請求の範囲における主題の範囲を決定する補助として利用しようとするものでもない。
【０００５】
本発明の一態様は、内側又は外側フレームを有するモジュール式のゴルフバックを備える。フレーム頂部はゴルフクラブを受け入れることができる。フレーム底部は、フレーム頂部からほぼゴルフクラブの長さ分下方に配置する。複数のポールは、フレーム頂部とフレーム底部とを連結する。複数のポールの内側又は外側で、フレーム頂部とフレーム底部との間に延びている柔軟性のあるバッグ本体は、フレーム頂部を通ってゴルフクラブを受け入れるための空所を形成する。ある実施形態において、複数のポールスリーブは、柔軟性のあるバッグ本体の内側又は外側に取り付ける。そのような実施形態において、複数のポールスリーブの各々は、複数のポールのうち１本のポールにおける長さの少なくとも一部を囲み、したがって、複数のポールの各々は少なくとも１つのポールスリーブを貫通する。複数のポールスリーブは、柔軟性のあるバッグ本体を複数のポールに内側又は外側で固定することによって構造の体（てい）をバッグ本体に与える。
【０００６】
本発明の他の態様は、柔軟性のあるバッグ本体の多数のスリットに出入りするポールにより形成される内側フレームを有する、モジュール式のゴルフバッグを備える。フレーム頂部はゴルフクラブを受け入れることができ、フレーム底部は、フレーム頂部からほぼゴルフクラブの長さ分下方に配置され、複数のポールがフレーム頂部とフレーム底部を連結する。複数のポールの外側で複数のバッグ本体は、フレーム頂部とフレーム底部の間に延びており、それによりフレーム頂部からゴルフクラブを受け入れ可能な空所を形成する。柔軟性のあるバッグ本体のスリットにより、ポールが空所に出入りする領域を提供し、それによりゴルフバッグの内側フレームを形成する。スリットは様々な方法で補強され、種々の摩耗及び破れに対して保護する丈夫な開口部を形成する。
【０００７】
更に、１又は２以上の収納コンパートメントは、複数のポールうち少なくとも２本の間で取り外し可能に連結できる。コンパートメントは、外側ポールに直接連結したり、開口部又はスリットにおいて露出する内側ポールに連結したり、柔軟性のあるバッグ本体の周囲において露出しない内側ポールに連結できる。
【０００８】
本発明を、添付図面を参照して以下に詳細に記載する。
【図面の簡単な説明】
【０００９】
【図１】本発明の実施例による、モジュール式のゴルフバッグの背面から見た図であり、そのゴルフバッグは、各ポールの長さに沿って互いに離して配置した多数の外側ポールスリーブを備える。
【図２】図１のモジュール式ゴルフバッグの側面から見た図である。
【図３】本発明の実施例による、モジュール式のゴルフバッグの正面から見た図であり、そのゴルフバッグは、各ポールの長さに沿って互いに離して配置した僅かな数の外側ポールスリーブを備える。
【図４】図３のモジュール式ゴルフバッグの側面から見た図である。
【図５】本発明の実施例による、モジュール式ゴルフバッグの正面から見た図であり、そのゴルフバッグは、各ポール用に単一の外側ポールスリーブを備える。
【図６】図５のモジュール式ゴルフバッグの側面から見た図である。
【図７】本発明の実施例による、モジュール式のゴルフバッグの正面から見た図であり、そのゴルフバッグは、各ポールスリーブの長さに沿って互いに離して配置した複数の開孔を有する外側ポールスリーブと、複数の付加的な収納コンパートメントを備える。
【図８】図７のモジュール式ゴルフバッグの側面から見た図である。
【図９】図７及び図８のモジュール式ゴルフバッグの側面から見た図である。
【図１０】図７〜図９に示す付加的な収納コンパートメントの背面から見た図である。
【図１１】本発明の実施例による、モジュール式のゴルフバッグの背面から見た図であり、そのゴルフバッグは、各ポールの長さに沿って互いに離して配置した多数の内側ポールスリーブを備える。
【図１２】図１１のモジュール式ゴルフバッグの側面から見た図である。
【図１３】本発明の実施例による、モジュール式のゴルフバッグの正面から見た図であり、そのゴルフバッグは、各ポールの長さに沿って互いに離して配置した僅かな数の内側ポールスリーブを備える。
【図１４】図１３のモジュール式ゴルフバッグの側面から見た図である。
【図１５】本発明の実施例による、モジュール式ゴルフバッグの正面から見た図であり、そのゴルフバッグは、各ポール用に単一の内側ポールスリーブを備える。
【図１６】図１５のモジュール式ゴルフバッグの側面から見た図である。
【図１７】本発明の実施例による、モジュール式のゴルフバッグの正面から見た図であり、そのゴルフバッグは、柔軟なゴルフバッグ本体を内側で支持するためのポール用スリットを備える。
【図１８】本発明の実施例による、モジュール式のゴルフバッグを背面から見た図であり、そのゴルフバッグは、各ポールの長さに沿って互いに離して配置した多数の内側ポールスリーブと、付加的な収納コンパートメントとを備える。
【図１８Ａ】本発明の実施例によるモジュール式のゴルフバッグに構造の体及び横方向支持をもたらす、クロスバーに連結したバッグポールを示す。
【図１８Ｂ】本発明の実施例によるモジュール式のゴルフバッグに構造の体及び横方向支持をもたらす、クロスバーに連結したバッグポールを示す。
【発明を実施するための形態】
【００１０】
従来のゴルフバッグは重く、また、従来のゴルフバッグの収納コンパートメントは構成変更可能ではない。本発明は、外側又は内側フレームを有する、軽量のモジュール式ゴルフバッグを提供する。モジュール式の付加的な収納コンパートメントは、様々な構成により、外側又は内側フレームに取り外し可能に連結する。コンパートメントは、外側ポールに直接連結したり、開孔又はスリットにおいて露出する内側ポールに連結したり、柔軟なバッグ本体の周囲の露出しない内側ポールに連結したり、又はそれらを組み合わせることができる。本発明の実施例を図１〜図１０に示す。
【００１１】
図１は、モジュール式ゴルフバッグ１００の正面サイド１０２を示す。フレーム頂部１０４はゴルフクラブを受け入れ可能である。いくつかの実施例において、フレーム頂部１０４は開いた状態である。他の実施例において、フレーム頂部１０４はリム及びジッパー付きのカバーを有する。フレーム底部１０６は、フレーム頂部１０４よりほぼゴルフクラブの長さ分下方に配置する。複数のポール１０８及び１１０は、フレーム頂部１０４とフレーム底部１０６を連結する。柔軟性のあるバッグ本体１１２は、ポール１０８及び１１０の内側にある。柔軟性のあるバッグ本体１１２はフレーム頂部１０４とフレーム底部１０６との間で延び、これによりフレーム頂部１０４からゴルフクラブを受け入れる空所（図示せず）を形成する。
【００１２】
複数のポールスリーブ１１４，１１６，１１８，１２０，１２２及び１２４は、柔軟性のあるバッグ本体に取り付ける。ポールスリーブ１１４，１１６及び１１８の各々は、ポール１０８の長さの少なくとも一部を包囲する。同様に、ポールスリーブ１２０，１２２及び１２４の各々は、ポール１１０の長さの少なくとも一部を包囲する。ポール１０８及び１１０は各々少なくとも１つのポールスリーブを貫通する。ポールスリーブ１１４，１１６，１１８，１２０，１２２及び１２４は、展開姿勢において柔軟性のあるバッグ本体１１２をポール１０８及び１１０に固定することにより柔軟性のあるバッグ本体１１２に構造の体（てい）を与える。図１において、簡明のためにポールスリーブ１１４，１１６，１１８，１２０，１２２及び１２４のみに符号付けしたが、図１はポール１０８及び１１０の長さのほぼ全体に渡り互いに離して配置したポールスリーブを示していることを理解されたい。
【００１３】
図２は、図１のモジュール式ゴルフバッグ１００の側面２０２を示す。図１に示すポール１１０、フレーム頂部１０４、フレーム底部１０６、並びにポールスリーブ１２０，１２２及び１２４も図２において見えている。第３のポール２０４がフレーム頂部１０４からフレーム底部１０６まで延びている。図１に示すポール１０８及び１１０と同様に、ポール２０４は、ポールスリーブ２０６，２０８及び２１０を含む、ポール２０４の長さに沿って互いに間隔をとって配置した多数のポールスリーブに貫通する。
【００１４】
図１及び図２に示す図には、３本のポールのみ見えているが、バッグ１００は４本のポールを備える。いくつかの実施例において、本発明によるモジュール式のゴルフバッグは、２本のポール、３本のポール、４本のポール、又は４本以上のポールを備える。図１において、ポール１０８及び１１０はほぼ直線状である。図２において、ポール２０４はフレーム頂部１０４からフレーム底部１０６まで湾曲している。本発明によるモジュール式ゴルフバッグの様々な実施例における複数のポールは、様々なポール配置構成を有することができると共に、互いに交叉する、又はフレーム頂部からフレーム底部まで対角線に延びるポールを含めて多数のポールを有することができると考えられる。
【００１５】
ポールスリーブに貫通するポール１０８，１１０，２０４及び第４のポール（図示せず）の使用により、モジュール式ゴルフバッグ１００用の軽量外付けフレームを提供する。「外側フレーム」は、バッグ本体のほぼ外側で構造的な支持を提供する。図１及び図２において、ポール１０８，１１０，２０４及び第４のポール（図示せず）は、実質的にバッグ１００の側面の境界を形成し、柔軟性のあるバッグ本体１１２は、側面の境界の内側においてフレーム頂部１０４からフレーム底部１０６まで延びる。「内側」とは、柔軟性のあるバッグ本体１１２は、実質的にポール１０８，１１０，２０４及び第４のポールにより区切られた領域の内側にあることを意味する。
【００１６】
ポール１０８，１１０及び２０４は、展開姿勢において柔軟性のあるバッグ本体１１２をポール１０８，１１０及び２０４に固定することにより、柔軟性のあるバッグ本体１１２に構造の体を与える。すなわち、ポール１０８，１１０及び２０４によってもたらされる外側フレームにより、柔軟性のあるバッグ本体１１２を膨らませるか液体を充填したかのように、「開いた」又は「満たされた」状態に維持する。バッグ１００は、ポール１０８，１１０及び２０４がポールスリーブを貫通し、柔軟性のあるバッグ本体１１２が有する各パネルが、２本又はそれ以上のポールの間で延びることで柔軟性のあるバッグ本体１１２がぴんと張られるように設計する。柔軟性のあるバッグ本体１１２は柔軟性を有する為、バッグ本体１１２はポールスリーブ無しでは開き、伸展することはない。図１及び図２において、各ポールの複数の部分は、露出しておりアクセス可能である。露出部分２１２及び２１４のような露出したポール部分は、図７〜図１０を参照して説明するように付加的な収納コンパートメントの取り付け点として使用可能である。
【００１７】
様々な構成及びタイプのポールスリーブが考えられる。図３及び図４には、図１及び図２よりもより大きなポールスリーブを有するモジュール式ゴルフバッグ３００を示す。図３はバッグ３００の前面３０２を示す。ポール３０４及び３０６は、フレーム頂部３０８からフレーム底部３１０まで延びる。バッグ３００は、図１及び図２に示す小さなポールスリーブよりも、より大きな４つのポールスリーブを各ポールの長さに沿って互いに離して配置して有しており、ポールスリーブ３１０，３１２，３１４及び３１６はポール３０４の長さに沿って互いに離して配置し、ポールスリーブ３１８，３２０，３２２及び３２４はポール３０６の長さに沿って互いに離して配置する。一実施例において、ポールスリーブ３１０，３１２，３１４及び３１６は、ポール部分３２６，３２８及び３３０が露出しアクセス可能なようにポールスリーブに切除した開孔を有する、ポール３０４の長さに沿って延びる単一のポールスリーブであっても良い。このタイプの実施例を図７〜図９に示し、説明する。
【００１８】
図３において、モジュール式ゴルフバッグ３００は、柔軟性のあるバッグ本体３３６に取り付けた水ボトル用コンパートメント３３２及び掴み把手３３４を備える。いくつかの実施例においては、付加的な収納コンパートメントは、柔軟性のあるバッグ本体には一切恒久的に取り付けない。他の実施例においては、水ボトル用コンパートメント３３２のような１又は複数の一般に望まれる付加的な収納コンパートメントは恒久的に取り付ける。図４には、モジュール式ゴルフバッグ３００の側面から見た図を示す。モジュール式の付加的な収納コンパートメントは、図７〜図１０に示すように本発明によるモジュール式のゴルフバッグの実施例に取り外し可能に連結できる。
【００１９】
図５は、モジュール式ゴルフバッグ５００の前面５０２を示す。ポール５０４及び５０６は、フレーム頂部５０８とフレーム底部５１０との間に延びる。ポール５０４はポールスリーブ５１２に貫通し、ポール５０６はポールスリーブ５１４に貫通する。ポールスリーブ５１２及び５１４はポール５０４及び５０６とほぼ同じ長さである。いくつかの実施例において、ポールスリーブ５１２及び５１４の長さは、対応するポールの長さの半分よりも長い。図６は、モジュール式ゴルフバッグ５００の側面から見た図を示す。
【００２０】
図７は、ポールスリーブ７０２及び７０４を有するモジュール式ゴルフバッグ７００を示す。ポールスリーブ７０２及び７０４は各ポールスリーブの長さに沿って互いに離して配置する複数の開孔７０６，７０８，７１０，７１２，７１４及び７１６を有する。図７には、ポールスリーブ７０２及び７０４の長さのほぼ全体にわたって互いに離して配置した開孔を示すが、各ポールスリーブに沿った代表的な３つの開孔のみ簡明のため符号を付している。上述のように、いくつかの実施例においては、ポールスリーブ７０２及び７０４は、開孔を配置したポールスリーブではなく、個別のポールスリーブに分割する。
【００２１】
モジュール式ゴルフバッグ７００はまた、付加的な収納コンパートメント７１８，７２０，７２２及び７２４、並びに背中パッド７２６を有する。付加的な収納コンパートメント７１８，７２０，７２２及び７２４、並びに背中パッド７２６の各々は、２つのポールの間において取り外し可能に連結する。付加的な収納コンパートメント７１８，７２４は、ポール７２８及び７３０の間において取り外し可能に連結する。付加的な収納コンパートメント７２０及び７２２並びに背中パッド７２６を取り外し可能に連結する第２のポールを図８及び図９に示す。
【００２２】
図７〜図９は、対応するポールの露出した部分に連結した付加的な収納コンパートメント７１８，７２０，７２２及び７２４、並びに背中パッド７２６を示す。取り外し可能に連結した付加的な収納コンパートメントにより、ゴルファは自身のバッグに使用する特別なコンパートメントを選択することが出来る。ゴルファは、環境の変化に応じてコンパートメントを付け足し又は取り外し、重量を最小化しまた機能性を最大化することができる。更に、ゴルファは、同じタイプの複数のコンパートメントを選択したり、典型的な付属用品コンパートメントのレイアウトを逆にして、ゴルファが左利きであったり、若しくは所定のバッグの置き方を好んだりすることを反映し、又は他の個人的な変更を行うことができる。
【００２３】
取り外し可能な連結は、各コンパートメントがバックルタイプの閉じ口を有する複数のストラップ、又はフック若しくは「Ｃ型」部材のような圧嵌装着可能なコネクタを有するようにして、様々な方法で実現される。図７には、例えば、付加的な収納コンパートメント７２４を、ポール７２８及び７３０の露出し且つアクセス可能なポール部分まで延びて巻き付くストラップ７３２，７３４，７３６及び７３８と共に示す。
【００２４】
露出し、アクセス可能なポール部分により、ストラップをその露出したポール部分の周りに完全に巻き付けることができる。図５及び図６における、ほぼポールと同じ長さを持つポールスリーブを有するバッグ５００のような例では、圧嵌装着がより適切である。しかし、いくつかの例においては、柔軟性を持つバッグ本体自身は、たとえポール部分が露出せずアクセス可能でない時でも、ポール及び対応するポールスリーブの双方の周りに付加的な収納コンパートメントをストラップで固定するのに適応するためのスリットを設けることができる。そのような場合には、コネクタはポールの露出部分よりもポールスリーブと直接接触する。代案として、ポールスリーブはポールスリーブの長さ全体にわたって柔軟性を有するバッグ本体に取り付けず、ストラップをポール及びポールスリーブの双方の周りに巻き付けるためのスペースを残す。ポールスリーブにはめ込んだグロメットのような他の連結機構もまた考えられる。
【００２５】
図８及び図９には、モジュール式ゴルフバッグ７００の側面図を示す。図７〜図９は、２本のポールのみの間で取り外し可能に連結した各付加的な収納コンパートメントを示しているが、付加的な収納コンパートメントは３本又はそれ以上のポール周りにも同様に取り外し可能に連結できる。付加的な収納コンパートメントは、少なくとも２本のポールの間で複数位置において取り外し可能に連結できる。例えば、付加的な収納コンパートメント７２４は、バッグ７００の中間部近傍で取り外し可能に連結するが、コンパートメント７２４は様々な他の取り付けポイントに連結することもできる。ある特定の実施例において、付加的な収納コンパートメント７１８及び７２４は、相互に交換することができる。
【００２６】
ゴルフバッグ７００のモジュール式という性質により、複数の異なる付加的な収納コンパートメントは同じ取り付けポイントの間で取り外し可能に連結でき、またポールの配置に依存して、ある特定の付加的な収納コンパートメントを第１の複数ポールの取り付けポイントの間で、並びに第２の複数ポールの取り付けポイントの間で取り外し可能に連結することができ、第１の複数ポールと第２の複数ポールとは異なるものとする。「取り付けポイント」とは、付加的な収納コンパートメントを連結できる可能性のある任意の潜在的位置をいう。従って、取り付けポイントは、モジュール式ゴルフバッグの設計に依存して変化する。図７〜図９において、各ポールの露出部分が取り付けポイントとなる。Ｃ型コネクタを有する圧嵌装着を用いると、各ポールは必然的に１つの大きな連結ポイントとなる。
【００２７】
付加的な収納コンパートメント７２４の背面図を図１０に示す。ストラップ７３２，７３４，７３６及び７３８は、付加的な収納コンパートメント７２４から延び、ポールの露出部分周りに巻き付ける。図１０は例示であり、様々な連結機構が考えられる。
【００２８】
図１〜図９に示す様々なタイプのポールスリーブは、様々な方法でバッグ本体に取り付けることができる。いくつかの実施例において、ポールスリーブは柔軟性のあるバッグ本体に縫い付ける。更に、ポールスリーブはほぼ等間隔離れた状態に示されているが、スリーブはいかなる所望の間隔又は位置にでも配置することができる。ポールは、繊維ガラス、アルミニウム、チタン、又は他の軽量で頑丈な材料で形成することができる。柔軟性のあるバッグ本体は、ナイロン又は他の軽量で丈夫な材料で形成することができ、天然及び合成材料のいずれでもよい。
【００２９】
図１〜図９は、外側ポールを有するゴルフバッグを示すが、図１１〜図１６の代替的な実施形態は、内側ポールを有するゴルフバッグを示す。他の実施形態は、内側及び外側ポール又はポールスリーブの組み合わせを用いることができる。例えば、ゴルフバッグは、柔軟性のあるバッグ本体の内側で肩ストラップとは反対側のバッグの側面にポールを保持し、また外側で肩ストラップ側の側面にポールを保持することもできる。
【００３０】
ポールスリーブに加え、異なる実施形態では、柔軟性のあるバッグ本体に付加的に又は代替的にスリットを設けることができる。本明細書で説明したように、スリットは、ゴルフバッグの柔軟性のあるバッグ本体における開口部又は開孔とする。ポールスリーブが、柔軟性のあるバッグ本体の内側又は外側にポールを保持する一方、スリットはポールを柔軟性のあるバッグ本体に対して出し入れできるための領域を提供する、又は単にポールを露出させる開口部を提供する。ある実施形態において、スリットは柔軟性のあるバッグ本体内に位置決めしたポールの一部を露出させ、ポールに対して、クリップ留め可能な付属用品（ゴルフタオル、グローブ、鍵、旗、その他）、ポケット、他の分離可能なコンパートメントを取り付けることを可能にする。スリットは、バッグが裂けることを防ぐために様々な方法で補強することができる。例えば、布地、皮革、ビニール、ポリウレタン、金属、プラスチック、又は他の補強材料を、スリット開口部の周りに縫着、接着、熱圧着、又は付着する。ポールスリーブの代わりにスリットを用いる実施形態の方が製造が容易になるが、それはスリットはただバッグ本体から切り込みを入れるだけで済むのに対し、ポールスリーブは、別個に作成し取り付ける必要があるからである。
【００３１】
図１１〜図１８は、スリット及びポールスリーブの両方を有する異なった実施形態を示すが、本発明では両方を必要とはしない。実際のところ、いくつかの実施形態はスリットのみを有し、又はポールスリーブのみを有し、又は図１１〜図１８に示す実施形態とは異なるいくつかのスリットとポールスリーブの組み合わせを有することができる。
【００３２】
図１１は、モジュール式ゴルフバッグ１１００の正面サイド１１０２を示す。フレーム頂部１１０４はゴルフクラブを受け入れ可能である。いくつかの実施例において、フレーム頂部１１０４は開いている。他の実施例において、フレーム頂部１１０４はリム及びジッパー付きのカバーを有する。フレーム底部１１０６は、フレーム頂部１１０４からほぼゴルフクラブの長さ分下方に位置する。複数のポール１１０８及び１１１０は、フレーム頂部１１０４とフレーム底部１１０６とを連結する。ポール１１０８及び１１１０の点線は、柔軟性のあるバッグ本体１１１２がポール１１０８及び１１１０の外側にあることを示している。柔軟性のあるバッグ本体１１１２はフレーム頂部１１０４とフレーム底部１１０６の間で延び、これによりフレーム頂部１１０４を通してゴルフクラブを受け入れ可能な空所（図示せず）を形成する。
【００３３】
ポールスリーブ１１１４，１１１６，１１１８，１１２０，１１２２及び１１２４を指示する点線は、図示したポールスリーブが柔軟性のあるバッグ本体１１１２の内側に取り付けられることを示す。それ故、図示した実施形態は、柔軟性のあるバッグ本体１１１２の内側にポール及びポールスリーブの両方を有する。柔軟性のあるバッグ本体１１１２の内側で、ポール１１０８及び１１１０がポールスリーブ１１１４，１１１６，１１１８，１１２０，１１２２及び１１２４の内部に保持される。ポールスリーブ１１１４，１１１６及び１１１８の各々は、ポール１１０８の長さの少なくとも一部を包囲する。同様に、ポールスリーブ１１２０，１１２２及び１１２４の各々は、ポール１１１０の長さの少なくとも一部を包囲する。ポール１１０８及び１１１０の各々は、少なくとも１つのポールスリーブを貫通する。ポールスリーブ１１１４，１１１６，１１１８，１１２０，１１２２及び１１２４は、柔軟性のあるバッグ本体１１１２を内部でポール１１０８及び１１１０に固定することにより、柔軟性のあるバッグ本体１１１２に構造の体をもたらす。図１１において、簡明のためにポールスリーブ１１１４，１１１６，１１１８，１１２０，１１２２及び１１２４のみに符号付けしているが、図１１は、ポール１１０８及び１１１０の長さのほぼ全体にわたって互いに離して配置したポールスリーブを示していることを理解されたい。
【００３４】
内部のスリーブに加え、モジュール式ゴルフバッグ１１００はまた、スリット１１２６，１１２８，１１３０及び１１３２を有する。スリットは、柔軟性のあるバッグ本体において、開口部又は開孔である。
【００３５】
図１２は、図１１のモジュール式ゴルフバッグ１１００の側面１２０２を示す。図１１に示す、ポール１２０４，フレーム頂部１１０４，フレーム底部１１０６、並びにポールスリーブ１１２０，１１２２及び１１２４もまた、図１２においても見えている。第３のポール１２０４はフレーム頂部１１０４からフレーム底部１１０６まで延び、バッグ１１００の内側で方向付けられている。図１１のポール１１０８及び１１１０と同様に、ポール１２０４は、ポール１２０４の長さにわたって広がり、内側に取り付けるポールスリーブ１２０６，１２０８及び１２１０を含む、柔軟性のあるバッグ本体１１１２の内側に取り付ける多数のポールスリーブを貫通する。更に、ポール１２０４はポール１２０４を露出させるためのスリット１２２８を横切る。
【００３６】
図１１及び図１２に示した図においては、３本のポールのみ見えているが、バッグ１１００は、例えば２，４，５，６本又はそれ以上といったように、ポールを付加する又はより少なくすることができる。図１１のポール１１０８及び１１１０はほぼ直線的である。図１２のポール１２０４は、フレーム頂部１１０４からフレーム底部１１０６まで湾曲している。本発明によるモジュール式ゴルフバッグの様々な実施例において、複数のポールは、様々なポール配置構成を有すると同時に、互いに交叉し又はフレーム頂部からフレーム底部まで対角線上に延びるポールを有することが考えられる。実施形態は、柔軟性のあるバッグ本体１１１２の内側又は外側にあるそのようなポール及びポール構成を有することができる。
【００３７】
ポールスリーブを貫通するポール１１０８，１１１０，１２０４及び４番目のポール（図示せず）の使用により、モジュール式ゴルフバッグ１１００に軽量の内側フレームをもたらす。「内側フレーム」は、バッグ本体内部における実質的な構造的支持を提供する。図１１及び図１２において、ポール１１０８，１１１０，１２０４及び４番目のポール（図示せず）は、実質的にバッグ１１００の側面境界を形成する。柔軟性のあるバッグ本体１１１２はまた、ポール１１０８，１１１０，１２０４及び４番目のポールによって境界付けられる領域の外側においてフレーム頂部１０４からフレーム底部１０６まで延びる。
【００３８】
柔軟性のあるバッグ本体１１１２をポール１１０８，１１１０及び１２０４に内側で固定することにより、ポール１１０８，１１１０及び１２０４を露出させることなくゴルフバッグ１１００に構造の体を与える。すなわち、ポール１１０８，１１１０及び１２０４によってもたらされる内側フレームは、まるで柔軟性のあるバッグ本体１１１２を膨らませた、又は液体で充填したかのように「開いた」又は「満たされた」状態に保持する。バッグ１１００は、ポール１１０８，１１１０及び１２０４が柔軟性のあるバッグ本体１１１２に内側で取り付けられたポールスリーブに貫通するとき、２個又はそれ以上のポールの間で延びるバッグ本体１１１２が有する各パネルによってぴんと張られるように設計する。柔軟性のあるバッグ本体１１１２は柔軟性を有するため、バッグ本体１１１２はポールスリーブ無しでは、開いて伸展した状態を維持できない。多くの点線で示すように、図１１及び図１２におけるポール及びポールスリーブは、全て柔軟性のあるバッグ本体１１１２の内側に配置する。それ故、本発明のいくつかの実施形態がポール及びポールスリーブを外側に有する一方、代替の実施形態はポール及びポールスリーブをゴルフバッグ本体の内側に配置する。
【００３９】
図１３において、モジュール式のゴルフバッグ１３００は、柔軟性のあるバッグ本体１３３６に取り付けた水ボトルコンパートメント１３３２及び掴み用把手１３３４を有する。いくつかの実施例においては、柔軟性のあるバッグ本体には付加的な収納コンパートメントは何ら恒久的に取り付けない。他の実施例においては、例えば水ボトルコンパートメント１３３２のような１又はそれ以上の一般に望まれる付加的な収納コンパートメントを恒久的に取り付ける。また図１３に示す実施形態においては、細長いポールスリーブ１３１４及び１３２２が柔軟性のあるバッグ本体１３０２の内部でポール１３２８及び１３２０を保持する。点線で示した細長いポールスリーブ１３１４及び１３２２、並びにポール１３２８及び１３２０は、各々が柔軟性のあるバッグ本体１３０２の内側に位置することを示す。本発明の異なる実施形態は様々な長さのポールスリーブを使用する。
【００４０】
図１４は、モジュール式ゴルフバッグ１３００の側面図を示す。付加的なモジュール式収納コンパートメント１３３２及び１３３４は、縫付け、フックアンドループファスナ、スナップ、ボタン、接着剤、磁石、などの様々な方法により、取り外し可能に連結することができる。ある実施形態において、収納コンパートメント１３３２は、柔軟性のあるバッグ本体１３０２のスリット又は開口部において露出する内側ポールを挿入することにより適切に保持される１又はそれ以上のリング又はループ付きのアームを有する。様々な他の方法の使用により、付加的な収納コンパートメント１３３２又は１３３４を取り付けることができる。
【００４１】
図１５は、モジュール式ゴルフバッグ１５００の内側に取り付けるポール１５０４及び１５０６のためのより長い内側スリーブ１５１２及び１５１４を有するモジュール式ゴルフバッグ１５００の前面１５０２を示す。ポール１５０４及び１５０６はフレーム頂部１５０８とフレーム底部１５１０との間で延びる。ポール１５０４はポールスリーブ１５１２を貫通し、ポール１５０６はポールスリーブ１５１４を貫通する。ポールスリーブ１５１２及び１５１４はポール１５０４及び１５０６とほぼ同じ長さである。いくつかの実施例において、ポールスリーブ１５１２及び１５１４の長さは、対応するポール長さの半分よりも長い。図１６には、モジュール式ゴルフバッグ１５００の側面から見た図を示す。
【００４２】
ポールスリーブを用いる代わりに、ポールはバッグ本体自身にあるスリットを通して柔軟性のあるバッグ本体に出し入れできる。スリットの端縁は数多くの方法によって付加的な耐久性をもたらすように強化することができる。例えば、スリットの端縁は、積層、熱付与、ゴム、ポリマー、プラスチック、セラミックなどによるオーバーモールド、縫付け、又は他の同様の様式による強化をすることができる。スリットを用いる実施形態は、異なる位置においてポールを柔軟性のあるバッグ本体に出し入れできる。そのような開口部は、取り外し可能なコンパートメントの吊り下げ用ループ、リング又は他のコネクタのために理想的な位置に設けることができる。
【００４３】
図１７は、ポール１７１０及び１７１２のための異なるスリット１７０２，１７０４，１７０６及び１７０８を有するモジュール式ゴルフバッグ１７００の正面図を示す。図示した実施形態によれば、ポール１７１０は頂部スリット１７０２において柔軟性のあるバッグ本体１７１４に入り、底部スリット１７０４において柔軟性のあるバッグ本体１７１４から出る。同様に、ポール１７１２は頂部スリット１７０６において柔軟性のあるバッグ本体１７１４に入り、底部スリット１７０８において柔軟性のあるバッグ本体１７１４から出る。ポールの大部分がゴルフバッグの外側にある実施形態において、代替の実施形態はスリット１７０２及び１７０６から出て、スリット１７０４及び１７０８から入るポールを有し、ポールを様々なスリットにより外側で適切に保持することができる。いくつかの実施形態は、付加的な、又はより少数のスリットを有することができ、スリットをモジュール式のゴルフバッグの例えば中間部分などの異なる位置に配置することができる。
【００４４】
バッグ本体を付加的に支持するために、ポールをクロスバーに連結することも出来る。図１８Ａ及び図１８Ｂは、本発明の実施例による、モジュール式のゴルフバッグに構造の体及び横方向支持を与えるためのクロスバーに連結したバッグポールを示す。先ず図１８Ａを見ると、構成１８００は、クロスバー１８０４をポール１８０６及び１８０８に連結したゴルフバッグ１８０２の頂部を示す。ポール１８０６及び１８０８は、例えばヒンジ、ボルト、ねじ、ボールアンドソケット、蟻継ぎ、又は他のあらゆる取り付け方法などの多くの方法によりクロスバー１８０４に連結できる。図１８Ｂは、上記の、又は他の公知のあらゆる取り付け方法を用いて、クロスバー１８１４をポール１８１６及び１８１８の側面に連結する他の構成１８１０を示す。図１８Ａ及び図１８Ｂはゴルフバッグ頂部のクロスバーを示すように見えるが、実施形態は、クロスバーを、内側ポール又は外側ポールに沿った任意の位置、例えば底部、頂部又は中間部に位置決めして取り付けることができる。
【００４５】
図２，４，６，８，１２，１４及び１６に示すように、背面が直立しているとき、いくつかのバッグは横方向に弓状に撓んだ、又は偏倚したポールを有し、背面が外側に、又はいくつかの実施形態においては内側に撓んだ外観を与える。ポールをバッグの肩ストラップとは反対方向に撓むように配置することにより、ゴルファがバッグを置くと解放されるようなヒンジ付きバッグスタンドに、背面が容易にもたれかかるようになる。また、弓状に撓んだポールにより美観を改善し、様々な印章（例えば、ロゴや広告等）を表示するための付加的な材料を提供しうる。
【００４６】
本発明は、特定の実施例に関連付けて説明してきたが、それらの実施例は全ての点において限定的というよりはむしろ例示を意図している。代替的な実施例が、発明の範囲から逸脱すること無く本発明に属することは、当業者に明らかであろう。
【００４７】
前述のように、本発明は先に明らかにした全ての目的及び目標を達成するためにうまく採用された発明であり、システムや方法にとって明らかで固有の他の長所も有する。特定の特徴及び部分的組み合わせは有用であり、他の特徴及び部分的組み合わせを参照すること無く使用することができることは理解されるであろう。これは特許請求の範囲内であると考えられる。
【図１】
2014531954.tif 000003
【図２】
2014531954.tif 000004
【図３】
2014531954.tif 000005
【図４】
2014531954.tif 000006
【図５】
2014531954.tif 000007
【図６】
2014531954.tif 000008
【図７】
2014531954.tif 000009
【図８】
2014531954.tif 000010
【図９】
2014531954.tif 000011
【図１０】
2014531954.tif 000012
【図１１】
2014531954.tif 000013
【図１２】
2014531954.tif 000014
【図１３】
2014531954.tif 000015
【図１４】
2014531954.tif 000016
【図１５】
2014531954.tif 000017
【図１６】
2014531954.tif 000018
【図１７】
2014531954.tif 000019
【図１８】
2014531954.tif 000020
【図１８Ａ】
2014531954.tif 000021
【図１８Ｂ】
2014531954.tif 000022
【国際調査報告】
2014531954.tif 000023